(57)【特許請求の範囲】
【請求項１】
モータケーシングを有するモータ本体と、
前記モータ本体を外部部材に据え付けるための脚部材と、を備え、
前記モータケーシングは、前記脚部材が固定される脚固定部を有し、
前記脚部材は、前記外部部材に固定するための外部固定部を有し、
前記外部固定部は、前記モータ本体の前後方向での前記脚固定部の中心位置に対して前後方向に非対称の位置に設けられ、
前記モータケーシング及び前記脚部材の何れか一方には組み違え防止部が設けられ、他方には干渉部が設けられ、
前記モータケーシングに所定の向きで前記脚部材を取り付けるとき、前記組み違え防止部と前記干渉部が干渉せず、前記モータケーシングに前記所定の向きとは前後逆向きで前記脚部材を取り付けようとするとき、前記組み違え防止部と前記干渉部が干渉することを特徴とするモータ。
【請求項２】
前記組み違え防止部は、前記脚部材に設けられ、
前記干渉部は、前記モータケーシングの外周面に設けられるフィンであり、
前記フィンは、前記脚固定部から該フィンの一端までの前後距離の方が、前記脚固定部から該フィンの他端までの前後距離より小さく、
前記モータケーシングに所定の向きで前記脚部材を取り付けるとき、前記組み違え防止部と前記フィンの一端部が干渉せず、前記モータケーシングに前記所定の向きとは前後逆向きで前記脚部材を取り付けようとするとき、前記組み違え防止部と前記フィンの他端部が干渉することを特徴とする請求項１に記載のモータ。
【請求項３】
前記脚固定部は、前後方向に離れた前側脚固定部と後側脚固定部とを有し、
前記フィンは、前記前側脚固定部から該フィンの一端までの前後距離の方が、前記後側脚固定部から該フィンの他端までの前後距離より小さいことを特徴とする請求項２に記載のモータ。
【請求項４】
前記組み違え防止部は、前記モータ本体の前方から見て、複数のフィン間に形成される風路の全体と重ならないように設けられることを特徴とする請求項２または３に記載のモータ。
【請求項５】
前記脚固定部は、前記モータケーシングの周方向に離れた第１脚固定部と第２脚固定部とを有し、
前記組み違え防止部は、前記モータ本体の前方から見て、前記第１脚固定部と前記第２脚固定部との間に突出するように前記脚部材に設けられることを特徴とする請求項１から４のいずれかに記載のモータ。
【請求項６】
前記モータケーシングには複数の側面部が設けられ、
前記脚固定部は、前記複数の側面部のうちの二つ以上の側面部に設けられ、
前記脚固定部は、前後方向に離れた前側脚固定部と後側脚固定部とを有し、
前記前側脚固定部には前方に延びる複数の第１フィンが接続され、
前記後側脚固定部には後方に延びる複数の第２フィンが接続され、
前記前側脚固定部及び前記後側脚固定部の間には前後方向に延びる単数の第３フィンが設けられることを特徴とする請求項１から５のいずれかに記載のモータ。
【発明の詳細な説明】
【技術分野】
【０００１】
本発明は、モータに関し、特に、モータケーシングに脚部材が固定されるモータに関する。
【背景技術】
【０００２】
図１１（ａ）は従来のモータ１１０の一例を示す側面図である。モータ１１０は、モータケーシング１１４を含むモータ本体１１６と、床等の外部部材１１８にモータ本体１１６を据え付けるための脚部材１２０とを別体にする場合がある（特許文献１参照）。このモータケーシング１１４には脚部材１２０が固定される複数の脚固定部１２８が設けられ、ボルト１６４によりモータケーシング１１４の脚固定部１２８と脚部材１２０が締結される。また、脚部材１２０には外部部材１１８に固定される複数の外部固定部１５６が設けられ、ボルト１６０により脚部材１２０の外部固定部１５６と外部部材１１８が締結される。
【先行技術文献】
【特許文献】
【０００３】
【特許文献１】特開２０１４−１７６２６６号公報
【発明の概要】
【発明が解決しようとする課題】
【０００４】
ところで、駆動対象となる相手機械に対するモータ１１０の取り合い寸法は、通常、ＪＩＳ  Ｃ  ４２１０やＩＥＣ（国際電気標準会議）等において枠番号を用いて定められる。この取り合い寸法には、回転軸１１２の前端面から回転軸１１２を横断する所定の基準面１１９までの距離Ｒや、所定の基準面１１９から各外部固定部１５６までの距離Ｆが含まれる。つまり、各外部固定部１５６は、ＪＩＳ等に準拠すると、回転軸１１２の位置に応じた所定の位置に設けられる。
【０００５】
また、モータケーシング１１４の各脚固定部１２８には、モータ本体１１６を吊り上げるために、アイボルト等の吊りボルトが螺合される場合がある。このようにモータ本体１１６を含む吊り上げ対象物を吊り上げるとき、バランスよく吊り上げられるように、モータケーシング１１４の各脚固定部１２８は、吊り上げ対象物での重心に応じた位置に設ける場合がある。
【０００６】
以上のように、脚部材１２０の外部固定部１５６は、ＪＩＳ等に準拠すると、回転軸１１２の位置に応じた所定の位置に設けられ、モータケーシング１１４の各脚固定部１２８は、吊り上げ対象物での重心に応じた位置に設けられる。これらに起因して、脚部材１２０の外部固定部１５６は、モータ本体１１６の前後方向Ｘでの脚固定部１２８の中心位置Ｃｐ（詳細は後述する）に対して前後方向Ｘに非対称の位置に設けられる場合がある。
【０００７】
この場合、ＪＩＳ等の規格に準拠した位置に外部固定部１５６を配置するうえでは、モータケーシング１１４に所定の向きで脚部材１２０を固定する必要がある。かりに、図１１（ｂ）に示すように、前述の中心位置Ｃｐに対して脚部材１２０を前後逆向きにした状態でモータケーシング１１４に脚部材１２０が固定されてしまうと、ＪＩＳ等の規格に準拠した所定の位置に外部固定部１５６が配置されなくなる。この状態のままで脚部材１２０を外部部材１１８に固定した場合、モータ１１０と外部装置とが干渉してこれらを取り付け不能となったり、枠番号に応じた諸性能を安定して発揮できなくなる恐れがあり、その改善が求められる。
【０００８】
本発明は、こうした状況に鑑みてなされたものであり、その目的は、モータケーシングに所定の向きとは前後逆向きで脚部材が固定されるのを防止できるモータを提供することにある。
【課題を解決するための手段】
【０００９】
本発明のある態様はモータに関し、モータケーシングを有するモータ本体と、モータ本体を外部部材に据え付けるための脚部材と、を備え、モータケーシングは、脚部材が固定される脚固定部を有し、脚部材は、外部部材に固定するための外部固定部を有し、外部固定部は、モータ本体の前後方向での脚固定部の中心位置に対して前後方向に非対称の位置に設けられ、モータケーシング及び脚部材の何れか一方には組み違え防止部が設けられ、他方には干渉部が設けられ、モータケーシングに所定の向きで脚部材を取り付けるとき、組み違え防止部と干渉部が干渉せず、モータケーシングに所定の向きとは前後逆向きで脚部材を取り付けようとするとき、組み違え防止部と干渉部が干渉する。
【発明の効果】
【００１０】
本発明によれば、モータケーシングに所定の向きとは前後逆向きで脚部材が固定されるのを防止できる。
【図面の簡単な説明】
【００１１】
【図１】実施形態に係るモータの部分断面側面図である。
【図２】実施形態に係るモータの前面図である。
【図３】図２の方向Ｆｖ１から見たフレームの斜視図である。
【図４】図２の方向Ｆｖ２から見たフレームの斜視図である。
【図５】実施形態に係るモータ本体の使用状態の一例を示す側面図である。
【図６】（ａ）は実施形態に係る脚部材の上面図であり、（ｂ）はその前面図である。
【図７】実施形態に係る脚部材とモータ本体の一部との位置関係を示す上面図である。
【図８】（ａ）は図７のＡ１−Ａ１線断面での脚部材とモータ本体の一部との位置関係を示し、（ｂ）は図７のＡ２−Ａ２線断面での位置関係を示し、（ｃ）は（ａ）の部分拡大図である。
【図９】（ａ）は実施形態に係るモータケーシングに所定の向きとは前後逆向きで脚部材を取り付けようとするときの脚部材とモータ本体の一部との位置関係を示す上面図であり、（ｂ）は（ａ）の方向Ｆｖ３から見た部分拡大図である。
【図１０】変形例に係る組み違え防止部と干渉部を示す側面断面図である。
【図１１】従来のモータの一例を示す側面図である。
【発明を実施するための形態】
【００１２】
以下、実施形態，変形例では、同一の構成要素に同一の符号を付し、重複する説明を省略する。また、各図面では、説明の便宜のため、構成要素の一部を適宜省略する。
【００１３】
図１、図２は本実施形態に係るモータ１０を示す部分断面側面図、前面図である。モータ１０は、図示しない回転子及び固定子とともに、回転軸１２の一部を収容するモータケーシング１４を含むモータ本体１６と、モータ本体１６を外部部材１８に据え付けるための脚部材２０とを備える。モータ本体１６はかご形誘導電動機である。外部部材１８はモータ１０による駆動対象となる相手機械が設置される床面等の構造体である。以下、回転軸１２の軸方向をモータ本体１６の前後方向Ｘ、前後方向Ｘと直交する水平方向（外部部材１８と平行な方向）をモータ本体１６の左右方向Ｙ、これらと直交する方向（外部部材１８に直交する方向）をモータ本体１６の上下方向Ｚとして説明する。
【００１４】
モータケーシング１４は、図１に示すように、円筒状のフレーム２２と、フレーム２２の前後両側の開口部を塞ぐ一対のブラケット２４とにより構成される。モータケーシング１４は、アルミ、鋳鉄等の金属製である。回転軸１２は、ブラケット２４に組み付けられる軸受（図示せず）により回転自在に支持される。
【００１５】
図３は図２の方向Ｆｖ１から見たフレーム２２の斜視図であり、図４は図２の方向Ｆｖ２から見たフレーム２２の斜視図である。モータケーシング１４は、図２〜図４に示すように、回転軸１２周りに設けられる四つの側面部２６Ａ〜２６Ｄを有する。複数の側面部２６Ａ〜２６Ｄはフレーム２２により構成され、回転軸１２を上下左右の四方から取り囲むように設けられる。複数の側面部２６Ａ〜２６Ｄには、下側面部２６Ａ（第１側面部）と、下側面部２６Ａに対して左右両側に設けられる左側面部２６Ｂ（第２側面部）及び右側面部２６Ｃ（第３側面部）と、下側面部２６Ａとは回転軸１２を挟んだ逆側（上側）に設けられる上側面部２６Ｄ（第４側面部）とが含まれる。下側面部２６Ａ、左側面部２６Ｂ、右側面部２６Ｃのそれぞれには、脚部材２０を固定するための複数の脚固定部２８Ａ〜２８Ｄが設けられる。上側面部２６Ｄには端子箱（図示せず）を取り付けるための座部３０が設けられる。端子箱にはモータに電力を供給するためのケーブルが接続される。
【００１６】
図４に示すように、下側面部２６Ａの複数の脚固定部２８Ａ〜２８Ｄには、モータケーシング１４の周方向に離れて設けられる第１脚固定部２８Ａ、２８Ｃと、第２脚固定部２８Ｂ、２８Ｄとが含まれる。また、複数の脚固定部２８Ａ〜２８Ｄには、前後方向Ｘに離れて設けられる一対の前側脚固定部２８Ａ、２８Ｂと、一対の後側脚固定部２８Ｃ、２８Ｄとが含まれる。下側面部２６Ａの複数の脚固定部２８Ａ〜２８Ｄはこれら４つを一組として設けられる。他の左側面部２６Ｂ、右側面部２６Ｃも同様に４つを一組とした複数の脚固定部２８Ａ〜２８Ｄが設けられる（図３、図４参照）。つまり、下側面部２６Ａ、左側面部２６Ｂ、右側面部２６Ｃのそれぞれには複数を一単位とする脚固定部２８Ａ〜２８Ｄの組が設けられる。
【００１７】
一組の脚固定部２８Ａ〜２８Ｄは、それらが設けられる側面部２６Ａ〜２６Ｃのそれぞれから各側面部２６Ａ〜２６Ｃに垂直な方向に延びるような柱状に形成される。各脚固定部２８Ａ〜２８Ｄは後述する第２ボルト６４用の雌ねじ穴３２を加工可能である。図３、図４に示すように、左側面部２６Ｂ、右側面部２６Ｃの一組の脚固定部２８Ａ〜２８Ｄのうち、前側脚固定部２８Ａ、２８Ｂには予め雌ねじ穴３２が加工される。図４に示すように、下側面部２６Ａの全ての脚固定部２８Ａ〜２８Ｄには予め雌ねじ穴３２が加工される。
【００１８】
図１に戻り、モータケーシング１４の前側のブラケット２４から前方に突出する回転軸１２の前端部１２ａには、駆動対象となる相手機械（図示せず）が減速機等の動力伝達装置３４を介して接続される。なお、回転軸１２の前端部には相手機械が直接に接続されてもよい。
【００１９】
モータケーシング１４の後側のブラケット２４から後方に突出する回転軸１２の後端部１２ｂには冷却ファン３６が装着される。モータケーシング１４には冷却ファン３６を覆うファンカバー３８が取り付けられる。ファンカバー３８は有底筒状に形成され、前方に向けて開放する導出口４０を有する。冷却ファン３６は回転軸１２と一体に回転し、その回転により空気流を発生させ、その空気流はファンカバー３８の導出口４０を通して前方に向けて流れる。
【００２０】
モータケーシング１４の各側面部２６Ａ〜２６Ｄの外周面には複数のフィン４２Ａ、４２Ｂが設けられる。各フィン４２Ａ、４２Ｂはモータケーシング１４の各側面部２６Ａ〜２６Ｄのそれぞれに前後方向Ｘに沿って直線状に延びるように設けられる。複数のフィン４２Ａ、４２Ｂには、脚固定部２８Ａ〜２８Ｄに接続され、各側面部２６Ａ〜２６Ｄの周方向に離れて設けられる複数の外側フィン４２Ａと、複数の外側フィン４２Ａ間に設けられる内側フィン４２Ｂとが含まれる。
【００２１】
図５はモータ本体１６の使用状態の一例を示す側面図である。モータケーシング１４を含むモータ本体１６は、アイボルト等の吊りボルト４４を用いて動力伝達装置３４とともに吊り上げられる場合がある。この場合、左側面部２６Ｂ、右側面部２６Ｃ、下側面部２６Ａの何れかを上向きにした状態で、その上向きの側面部２６Ａ〜２６Ｃに設けられる脚固定部２８Ａ〜２８Ｄの雌ねじ穴３２に吊りボルト４４が螺合される。本図では下側面部２６Ａを上向きにした状態を示す。モータ本体１６や動力伝達装置３４を含む吊り上げ対象物４６は、吊りボルト４４の貫通穴４８に挿通されるワイヤ（図示せず）により吊り上げられる。
【００２２】
モータケーシング１４の各側面部２６Ａ〜２６Ｃそれぞれの一組の脚固定部２８Ａ〜２８Ｄは、このように吊り上げ対象物４６を吊り上げるとき、バランスよく吊り上げられるように、吊り上げ対象物４６での重心に応じた位置に設けられる。なお、モータ本体１６のみを吊り上げ対象物４６として吊り上げる場合もある。この場合、モータケーシング１４の各側面部２６Ａ〜２６Ｃの一組の脚固定部２８Ａ〜２８Ｄは、モータ本体１６での重心に応じた位置に設けられる。
【００２３】
図６（ａ）、（ｂ）は脚部材２０の上面図、前面図である。脚部材２０は全体として平板状に形成される。脚部材２０は、アルミ、鋳鉄等の金属製である。脚部材２０は、左右方向Ｙの途中位置に設けられる中間部５０と、中間部５０の左右両側に設けられる一対の厚肉部５２と、一対の厚肉部５２の左右両側に設けられる一対の薄肉部５４とを備える。中間部５０は厚肉部５２より上下方向Ｚの寸法が小さくなる。また、中間部５０のモータケーシング１４に面する側の上側面部は、モータケーシング１４から離れる側（図６（ｂ）中下側）に凹むように形成される。
【００２４】
また、脚部材２０は、外部部材１８に固定するための複数の外部固定部５６Ａ〜５６Ｄと、モータケーシング１４に固定される複数の被固定部５８Ａ〜５８Ｄとを有する。複数の外部固定部５６Ａ〜５６Ｄは脚部材２０の薄肉部５４に設けられ、複数の被固定部５８Ａ〜５８Ｄは厚肉部５２に設けられる。
【００２５】
複数の外部固定部５６Ａ〜５６Ｄには、前後方向Ｘに離れて設けられる一対の前側外部固定部５６Ａ、５６Ｂと、一対の後側外部固定部５６Ｃ、５６Ｄとが含まれる。一対の前側外部固定部５６Ａ、５６Ｂのそれぞれは左右方向Ｙに離れて設けられる。一対の後側外部固定部５６Ｃ、５６Ｄのそれぞれも左右方向Ｙに離れて設けられる。
【００２６】
各外部固定部５６Ａ〜５６Ｄには第１ボルト６０用の第１挿通孔６２が形成され、第１挿通孔６２には第１ボルト６０が挿通される（図２参照）。各外部固定部５６Ａ〜５６Ｄは外部部材１８の表面に当接された状態で、第１ボルト６０により外部部材１８に締結されることで固定される。
【００２７】
複数の被固定部５８Ａ〜５８Ｄは、図示しないが、一組の脚固定部２８Ａ〜２８Ｄのそれぞれに対応する位置に設けられる。複数の被固定部５８Ａ〜５８Ｄには、図６に示すように、前後方向Ｘに離れて設けられる一対の前側被固定部５８Ａ、５８Ｂと、一対の後側被固定部５８Ｃ、５８Ｄとが含まれる。一対の前側被固定部５８Ａ、５８Ｂのそれぞれは左右方向Ｙに離れて設けられる。一対の後側被固定部５８Ｃ、５８Ｄのそれぞれも左右方向Ｙに離れて設けられる。
【００２８】
各被固定部５８Ａ〜５８Ｄには第２ボルト６４用の第２挿通孔６６が形成され、第２挿通孔６６には第２ボルト６４が挿通される（図２参照）。各被固定部５８Ａ〜５８Ｄは、モータケーシング１４の脚固定部２８Ａ〜２８Ｄとの間で互いに対向する面同士を当接させた状態で、第２ボルト６４によりモータケーシング１４に締結されることで固定される。第２挿通孔６６には、モータケーシング１４とは反対側（下側）の部位に座ぐり部６８が設けられ、第２ボルト６４の頭部は座ぐり部６８内に収められる。
【００２９】
以上の脚部材２０は、図１に示すように、モータケーシング１４に所定の向きで固定される。このとき、回転軸１２の前端面から一対の前側外部固定部５６Ａ，５６Ｂまでの前後距離Ｌ１と、回転軸１２の前端面から一対の後側外部固定部５６Ｃ，５６Ｄまでの前後距離Ｌ２とは、ＪＩＳ  Ｃ  ４２１０等の規格に準拠した所定の大きさとなるように定められる。ここでの前後距離Ｌ１、Ｌ２とは、回転軸１２の前端面から、各外部固定部５６Ａ〜５６Ｄの第１挿通孔６２の中心位置までの前後方向Ｘでの距離である。また、上述のように、一組の脚固定部２８Ａ〜２８Ｄは、吊り上げ対象物４６の重心に応じた位置に設けられる。
【００３０】
これらに起因して、複数の外部固定部５６Ａ〜５６Ｄは、図１、図６（ａ）に示すように、モータ本体１６の前後方向Ｘでの一組の脚固定部２８Ａ〜２８Ｄの中心位置Ｃｐに対して、前後方向Ｘに非対称の位置に設けられる。ここでのモータ本体１６の前後方向Ｘでの一組の脚固定部２８Ａ〜２８Ｄの中心位置とは、前側脚固定部２８Ａ、２８Ｂの雌ねじ穴３２の中心位置Ｐａと、後側脚固定部２８Ｃ、２８Ｄの雌ねじ穴３２の中心位置Ｐｂとの前後方向Ｘでの中央位置をいう。前側外部固定部５６Ａ、５６Ｂから中心位置Ｃｐまでの前後距離は後側外部固定部５６Ｃ、５６Ｄから中心位置Ｃｐまでの前後距離より大きくなる。なお、脚部材２０の複数の被固定部５８Ａ〜５８Ｄは中心位置Ｃｐに対して前後方向Ｘに対称の位置に設けられる。
【００３１】
図７は脚部材２０とモータ本体１６の一部との位置関係を示す上面図である。本図ではモータ本体１６の一部として、下側面部２６Ａの一組の脚固定部２８Ａ〜２８Ｄ、フィン４２Ａ，４２Ｂの他、ファンカバー３８を示す。また、図８は脚部材２０とモータ本体１６の一部との位置関係を示す図であり、図８（ａ）は図７のＡ１−Ａ１線断面での位置関係を示し、図８（ｂ）は図７のＡ２−Ａ２線断面での位置関係を示し、図８（ｃ）は図８（ａ）の部分拡大図である。
【００３２】
脚部材２０、モータケーシング１４のそれぞれには、モータケーシング１４に所定の向きとは前後逆向きで脚部材２０が固定されるのを防止するための組み違え防止部７０と干渉部７２が設けられる。
【００３３】
組み違え防止部７０は、脚部材２０の中間部５０の左右方向Ｙ一方寄り（図８（ａ）中右寄り）の位置に設けられる。組み違え防止部７０はモータケーシング１４側に突出する凸部である。組み違え防止部７０は上下方向Ｚに沿って延びる円柱状に形成されるが、その形状はこれに限られない。組み違え防止部７０は、脚部材２０の被固定部５８Ａ〜５８Ｄにおける脚固定部２８Ａ〜２８Ｄと対向する面５８ａに対してモータケーシング１４に近づく側（上側）に一部が配置される。なお、脚部材２０の中間部５０には組み違え防止部７０と一方の厚肉部５２とを繋ぐ連設部７４が設けられる。
【００３４】
干渉部７２は前述した複数の内側フィン４２Ｂである。内側フィン４２Ｂは、前側脚固定部２８Ａ、２８Ｂから内側フィン４２Ｂの一端である前端までの前後距離Ｌａの方が、後側脚固定部２８Ｃ、２８Ｄから内側フィン４２Ｂの他端である後端までの前後距離Ｌｂより小さくなる。
【００３５】
組み違え防止部７０は、図８（ａ）に示すように、モータ本体１６の前後方向Ｘ（前方）から見て、第１脚固定部２８Ａ、２８Ｃと第２脚固定部２８Ｂ、２８Ｄの間に突出するように脚部材２０に設けられる。これにより、組み違え防止部７０は各脚固定部２８Ａ〜２８Ｄより左右方向Ｙの外側に設けるよりも外部への露出を抑えられ、周囲の構造物との干渉を抑え易くなる。
【００３６】
図８（ｃ）に示すように、内側フィン４２Ｂに対して周方向両側には他の内側フィン４２Ｂや外側フィン４２Ａとの間で前後方向Ｘに沿って直線状に風路７６が形成される。風路７６は複数のフィン４２Ａ，４２Ｂ間に形成されることになる。風路７６は冷却ファン３６により生じる空気流を前方に導くために設けられる。
【００３７】
組み違え防止部７０は、モータ本体１６の前後方向Ｘ（前方）から見て、複数の風路７６のうちの二つの風路７６のそれぞれの全体と重ならないように設けられる。この組み違え防止部７０は、二つの風路７６のそれぞれに対して、左右方向Ｙ、上下方向Ｚに部分的にのみ重なるように設けられる。つまり、組み違え防止部７０は、二つの風路７６を少なくとも部分的に前後方向Ｘに開放するように設けられる。これにより、冷却ファン３６により生じた空気流が風路７６に沿って前方に流れるとき、組み違え防止部７０により空気流が妨げられ難くなり、組み違え防止部７０による冷却効率の低下を抑えられる。
【００３８】
なお、組み違え防止部７０は、図８（ｂ）に示すように、冷却ファン３６に近い位置にある内側フィン４２Ｂの後端部４２ａではなく、冷却ファン３６より遠い位置にある内側フィン４２Ｂの前端部４２ｂと前後方向Ｘに対向して設けられる。よって、内側フィン４２Ｂの後端部４２ａと前後方向Ｘに対向して設けるよりも、冷却ファン３６により生じた空気流が組み違え防止部７０により妨げられ難くなり、この点でも組み違え防止部７０による冷却効率の低下を抑えられる。
【００３９】
以上のモータ１０では、図７、図８（ｂ）に示すように、モータケーシング１４に所定の向きで脚部材２０を取り付けるとき、内側フィン４２Ｂの一端部である前端部４２ｂに組み違え防止部７０が接触せず、これらが干渉しない。この結果、図８（ａ）に示すように、モータケーシング１４の脚固定部２８Ａ〜２８Ｄに脚部材２０の被固定部５８Ａ〜５８Ｄを面接触させるように当接でき、第２ボルト６４により両者を安定して締結できる。
【００４０】
図９はモータケーシング１４に所定の向きとは前後逆向きで脚部材２０を取り付けようとするときの状態を示す。図９（ａ）は脚部材２０とモータ本体１６の一部との位置関係を示す上面図であり、図９（ｂ）は図９（ａ）の方向Ｆｖ３から見た部分拡大図である。
【００４１】
このとき、図９（ａ）に示すように、内側フィン４２Ｂの他端部である後端部４２ａに組み違え防止部７０が接触し、これらが干渉する。この結果、図９（ｂ）に示すように、モータケーシング１４の脚固定部２８Ａ〜２８Ｄに脚部材２０の被固定部５８Ａ〜５８Ｄを面接触させるように当接できず、第２ボルト６４により両者を安定して締結できなくなる。
【００４２】
以上のモータ１０によれば、組み違え防止部７０と、干渉部７２としての内側フィン４２Ｂとがあるため、モータケーシング１４に所定の向きとは前後逆向きで脚部材２０が固定されるのを防止できる。
【００４３】
なお、本実施形態に係るモータ１０は以下の特徴もある。図３、図４に示すように、下側面部２６Ａ、左側面部２６Ｂ、右側面部２６Ｃのそれぞれには、一組の脚固定部２８Ａ〜２８Ｄが設けられ、その一組の脚固定部２８Ａ〜２８Ｄには前側脚固定部２８Ａ、２８Ｂ、後側脚固定部２８Ｃ、２８Ｄが含まれる。このうち、前側脚固定部２８Ａ、２８Ｂには前方に延びる二つの第１外側フィン４２Ａ−ａが接続され、後側脚固定部２８Ｃ、２８Ｄには後方に延びる二つの第２外側フィン４２Ａ−ｂが接続される。また、前側脚固定部２８Ａ、２８Ｂ及び後側脚固定部２８Ｃ、２８Ｄの間には単数の第３外側フィン４２Ａ−ｃが接続される。複数の第１外側フィン４２Ａ−ａ間には第１隙間空間７８が形成され、第１隙間空間７８は前方に開放する。また、複数の第２外側フィン４２Ａ−ｂ間には第２隙間空間８０が形成され、第２隙間空間８０は後方に開放する。
【００４４】
以上のモータ本体１６は、端子箱に接続されるケーブルや、外部部材１８に対する据付位置との関係で、端子箱が取り付けられる座部３０を上向き、右向き、左向きの何れかの向きにした状態で据え付けられる場合がある。このとき、たとえば、右側面部２６Ｃ（図４参照）を下向きにした状態でモータ本体１６を据え付けると、モータケーシング１４の左側面部２６Ｂが上向きの状態になる。
【００４５】
ここで、前側脚固定部２８Ａ、２８Ｂ及び後側脚固定部２８Ｃ、２８Ｄの間に複数のフィンが接続されると、複数のフィンと各脚固定部２８Ａ〜２８Ｄにより囲まれる隙間空間に水が貯まり易くなってしまう。この点、本実施形態のモータ１０によれば、前側脚固定部２８Ａ、２８Ｂ及び後側脚固定部２８Ｃ、２８Ｄの間に単数の第３外側フィン４２Ａ−ｃが設けられるため、第３外側フィン４２Ａ−ｃの側方が開放され、そのような隙間空間が形成されず、水を貯まり難くできる利点がある。
【００４６】
なお、複数の第１外側フィン４２Ａ−ａ間に形成される第１隙間空間７８は前方に開放するため、その第１隙間空間７８に入る水は前方から排出される。同様に、複数の第２外側フィン４２Ａ−ｂ間に形成される第２隙間空間８０は後方に開放するため、その第２隙間空間８０に入る水は後方から排出される。
【００４７】
ちなみに、同様の効果を得るうえで、一組の脚固定部２８Ａ〜２８Ｄは、モータケーシング１４に設けられる複数の側面部２６Ａ〜２６Ｄのうちの二つ以上の側面部に設けられていればよい。
【００４８】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００４９】
実施形態では脚部材２０に組み違え防止部７０が設けられ、モータケーシング１４に干渉部７２として内側フィン４２Ｂが設けられる例を説明した。干渉部７２は内側フィン４２Ｂに限られず、たとえば、フィン４２Ａ、４２Ｂとは別にモータケーシング１４に設けた凸部等で構成されてもよい。
【００５０】
図１０（ａ）は変形例に係る組み違え防止部７０と干渉部７２を示す側面断面図である。組み違え防止部７０は脚部材２０ではなくモータケーシング１４に設けられる。詳細には、組み違え防止部７０は、側面部２６Ａ〜２６Ｃの一組の脚固定部２８Ａ〜２８Ｄのうちの一つの脚固定部２８Ａの先端面に設けられる。組み違え防止部７０は脚部材２０に近づく側に突出する凸部である。干渉部７２は、モータケーシング１４ではなく脚部材２０の被固定部５８Ｄ（図１０（ｃ）参照）である。
【００５１】
脚部材２０には、図１０（ａ）、（ｂ）に示すように、モータケーシング１４に所定の向きで脚部材２０を取り付けるとき、モータケーシング１４の組み違え防止部７０が干渉しないように、組み違え防止部７０が嵌合される凹部８２が形成される。この凹部８２は、組み違え防止部７０が設けられる脚固定部２８Ａが固定される被固定部５８Ａに形成され、他の被固定部５８Ｂ〜５８Ｄには形成されない。図１０（ｃ）に示すように、モータケーシング１４に所定の向きとは前後逆向きで脚部材２０を取り付けようとするとき、組み違え防止部７０が被固定部５８Ｄと接触して干渉する。以上のように、モータケーシング１４及び脚部材２０の何れか一方に組み違え防止部７０が設けられ、他方に干渉部７２が設けられていればよい。
【００５２】
また、一組の脚固定部２８Ａ〜２８Ｄの数は特に限られず、単数でもよいし複数でもよい。モータケーシング１４の各側面部２６Ａ〜２６Ｃそれぞれに複数の脚固定部が設けられる場合、「脚固定部の中心位置」とは、最も前側の脚固定部の（雌ねじ穴３２の）中心位置と、最も後側の脚固定部の（雌ねじ穴３２の）中心位置との前後方向Ｘでの中央位置となる。また、この場合、フィンに関して「脚固定部から一端までの前後距離」とは、最も前側及び後側の脚固定部の何れか一方の（雌ねじ穴３２の）中心位置からフィンの一端までの前後方向Ｘでの距離をいう。また、「脚固定部から他端までの前後距離」とは、最も前側及び後側の被固定部の他方の（雌ねじ穴３２の）中心位置からフィンの他端までの前後方向Ｘでの距離をいう。
【００５３】
また、モータケーシング１４の各側面部２６Ａ〜２６Ｃそれぞれに単数の脚固定部が設けられる場合、「脚固定部の中心位置」とは、その脚固定部の（雌ねじ穴３２の）中心位置となる。また、この場合、フィンに関して「脚固定部から一端までの前後距離」とは、その脚固定部の（雌ねじ穴３２の）中心位置からフィンの一端までの前後方向Ｘでの距離をいい、「脚固定部から他端までの前後距離」とは、その脚固定部の（雌ねじ穴３２の）中心位置からフィンの他端までの前後方向Ｘでの距離をいう。なお、左右方向Ｙに離れた複数の脚固定部を一単位とする脚固定部の組のみが設けられる場合も同様である。
【符号の説明】
【００５４】
１０…モータ、１４…モータケーシング、１６…モータ本体、１８…外部部材、２０…脚部材、２８Ａ〜２８Ｄ…脚固定部、４２Ａ、４２Ｂ…フィン、５６Ａ〜５６Ｄ…外部固定部、７０…組み違え防止部、７２…干渉部、７６…風路。
【図１】
0006358971.tif 000002
【図２】
0006358971.tif 000003
【図３】
0006358971.tif 000004
【図４】
0006358971.tif 000005
【図５】
0006358971.tif 000006
【図６】
0006358971.tif 000007
【図７】
0006358971.tif 000008
【図８】
0006358971.tif 000009
【図９】
0006358971.tif 000010
【図１０】
0006358971.tif 000011
【図１１】
0006358971.tif 000012